(57)【要約】【課題】互いに異なる周波数を用いて無線送信を行う複数の基地局装置と設置される子局装置を設け、基地局装置と子局装置とが無線通信を行う無線通信システムで、子局装置による無線受信に用いる周波数の設定処理を簡易化する。【解決手段】基地局装置では、記憶手段が収容する子局装置を識別する情報を記憶し、送信手段が割り当てられた周波数を用いて当該記憶手段に記憶された識別情報を無線送信する。子局装置では、記憶手段が当該子局装置の識別情報を記憶し、無線受信周波数制御手段が無線受信に用いる周波数を切り替えて無線受信手段により無線受信を行って、当該記憶手段に記憶された識別情報と一致する識別情報を基地局装置から無線受信した周波数を検出し、検出した周波数を用いて基地局装置からの無線受信を行うように設定する。【選択図】　　　図２
2004096336.tif 000002
【特許請求の範囲】
【請求項１】
互いに異なる周波数を用いて無線送信を行う複数の基地局装置を設け、基地局装置と子局装置とが無線通信を行う無線通信システムにおいて、
基地局装置は、当該基地局装置により収容する子局装置を識別する情報を記憶する子局装置識別情報記憶手段と、
当該基地局装置に割り当てられた周波数を用いて子局装置識別情報記憶手段に記憶された識別情報を無線送信する子局装置識別情報無線送信手段と、を備え、
子局装置は、切替可能な周波数を用いて無線受信を行う無線受信手段と、
当該子局装置の識別情報を記憶する識別情報記憶手段と、
無線受信に用いる周波数を切り替えて無線受信手段により無線受信を行って、識別情報記憶手段に記憶された識別情報と一致する識別情報を基地局装置から無線受信した周波数を検出し、検出した周波数を用いて基地局装置からの無線受信を行うように設定する無線受信周波数制御手段と、を備えた、
ことを特徴とする無線通信システム。
【請求項２】
請求項１に記載の無線通信システムにおいて、
子局装置は、切替可能な周波数を用いて無線送信を行う無線送信手段を備え、受信と送信とで同一の周波数を用いて又は受信と送信とで対になる異なる周波数を用いて無線受信と無線送信を行い、
子局装置の無線受信周波数制御手段は、検出した周波数を用いて又は検出した周波数と当該周波数に対となる周波数を用いて基地局装置からの無線受信と基地局装置への無線送信を行うように設定する、
ことを特徴とする無線通信システム。
【請求項３】
請求項１又は請求項２に記載の無線通信システムにおいて、
複数の基地局装置は、それぞれ異なるセクタに対応し、
基地局装置は、子局装置識別情報記憶手段に記憶される情報を変更する子局装置識別情報記憶情報変更手段を備えた、
ことを特徴とする無線通信システム。
【請求項４】
請求項１乃至請求項３のいずれか１項に記載の無線通信システムにおいて、
当該無線通信システムは、無線アクセスシステムであり、
子局装置は、固定的に設置される加入者局装置であり、
基地局装置の子局装置識別情報無線送信手段は、加入者局装置に対する報知信号に子局装置識別情報記憶手段に記憶された識別情報を含めて無線送信する、
ことを特徴とする無線通信システム。
【発明の詳細な説明】
【０００１】
【発明の属する技術分野】
本発明は、基地局装置と子局装置が無線通信を行う無線通信システムに関し、特に、子局装置の設置時などにおいて無線受信に用いる周波数を設定する処理を例えば従来と比べて簡易化した無線通信システムに関する。
【０００２】
【従来の技術】
近年、例えばＷＬＬ（Ｗｉｒｅｌｅｓｓ　Ｌｏｃａｌ　Ｌｏｏｐ）或いはＦＷＡ（Ｆｉｘｅｄ　Ｗｉｒｅｌｅｓｓ　Ａｃｃｅｓｓ）などと称せられる無線通信を用いた無線アクセスシステムが開発及び実用化されている。また、インターネットの普及に伴い、無線媒体で高速で大容量の通信を行う要求が高まっている。
【０００３】
上記した無線アクセスシステムでは、公衆回線網などのバックボーンネットワークに接続される基地局装置（ＢＳＥ：Ｂａｓｅ　Ｓｔａｔｉｏｎ　Ｅｑｕｉｐｍｅｎｔ）のアンテナなどをビルの屋上や塔などの高所に固定設置し、また、複数の加入者局装置（ＣＰＥ：Ｃｕｓｔｏｍｅｒ　Ｐｒｅｍｉｓｅｓ　Ｅｑｕｉｐｍｅｎｔ）のアンテナなどを加入者宅ビルの屋上などの高所に固定設置して、加入者局装置にパーソナルコンピュータ（ＰＣ）などの通信端末装置やこのような通信端末装置を接続したＬＡＮ（Ｌｏｃａｌ　Ａｒｅａ　Ｎｅｔｗｏｒｋ）などを収容する。
【０００４】
ここで、基地局装置や加入者局装置は、例えば、ビルの屋上や塔などの高所に固定設置される屋外ユニット（ＯＤＵ：Ｏｕｔ　Ｄｏｏｒ　Ｕｎｉｔ）とビル内などに固定設置される屋内ユニット（ＩＤＵ：Ｉｎ　Ｄｏｏｒ　Ｕｎｉｔ）とをケーブルで接続した構成を有している。また、基地局装置や加入者局装置の屋外ユニットは、アンテナを用いた無線通信処理を行う無線処理部を備え、主に無線通信処理を司る。また、基地局装置の屋内ユニットは主にバックボーンネットワークとのデータ通信を司り、加入者局装置の屋内ユニットは主に通信端末装置やＬＡＮなどとのデータ通信を司る。
【０００５】
なお、最近では、このような屋内ユニットの代わりに屋内ユニットと同様な機能を有するユニットを屋外に設置する構成も行われており、このような構成では、屋外に設置される当該ユニットと屋外に設置される上記のような屋外ユニットとをケーブルで接続するため、例えば屋内にユニットの設置場所をとられたくないような場合に有効である。
【０００６】
また、上記のような無線アクセスシステムでは、基地局装置と加入者局装置とが無線フレームをもって時分割伝送を行う通信方式により無線通信を行うことにより、同一の基地局装置に収容された異なる加入者局装置に接続されたＬＡＮなどの間を通信可能に接続してデータ通信させることや、基地局装置に接続されたバックボーンネットワークと加入者局装置に接続されたＬＡＮなどとを通信可能に接続してデータ通信させることなどができる。
【０００７】
図４には、無線アクセスシステムの一例を示してある。
同図に示した無線アクセスシステムでは、複数の基地局装置１ａ、１ｂがネットワーク１４を介して接続されており、複数の加入者局装置（子局装置）２ａ、２ｂ、２ｃが集合住宅１１や一般家庭１２や一般企業１３などの建物に固定的に設置されており、基地局装置１ａ、１ｂと加入者局装置２ａ、２ｂ、２ｃとの間で無線通信が行われる。なお、同図では、図を見易くするために、一部の加入者局装置や、一部の集合住宅や、一部の一般家庭や、一部の一般企業についてのみ、符号を付してある。
【０００８】
このように、無線アクセスシステムでは、例えば、企業ユーザのビルやＳＯＨＯ（Ｓｍａｌｌ　Ｏｆｆｉｃｅ　Ｈｏｍｅ　Ｏｆｆｉｃｅ）と呼ばれる個人事業者の加入者宅や一般家庭ユーザの加入者宅などと通信事業者の設備であるネットワーク側（基地局装置側）とを無線通信により接続する通信システムが提供される。
【０００９】
また、上記図４に示したような無線アクセスシステムでは、例えば基地局装置１ａ、１ｂや加入者局装置２ａ〜２ｃは、セクタ構成を用いた構成とされる。
図５には、セクタ構成の一例を概念的に示してある。
同図に示されるように、セクタ構成では、複数のセクタが設けられ、セクタ毎に無線通信に使用される周波数が異なるように設定される。同図に示した例では、それぞれ異なるセクタに対応した４つの基地局装置ａ、ｂ、ｃ、ｄに互いに異なる周波数Ａ、Ｂ、Ｃ、Ｄがそれぞれ割り当てられ、各基地局装置ａ〜ｄでは当該各基地局装置ａ〜ｄの通信可能領域（通信可能エリア）に存在する加入者局装置を収容して当該収容した加入者局装置と無線通信を行う。
【００１０】
また、セクタ構成の他の例として、例えば異なるセクタに対応した２以上の基地局装置の通信可能領域が一致又は一部重複するような構成を用いることも可能であり、このような構成においても、各基地局装置に互いに異なる周波数を割り当てることにより、異なる基地局装置の間での通信信号の干渉を回避することができる。
【００１１】
【発明が解決しようとする課題】
しかしながら、上記従来例で示したような従来の無線アクセスシステムでは、例えば加入者局装置を設置する時などにおいて、当該加入者局装置による無線通信で用いる周波数を設定する作業が面倒であるといった不具合があった。具体的には、加入者局装置の設置者は、シリアルポートなどを用いた保守機能を利用して加入者局装置に対して無線通信に用いる周波数を個別に設定することは可能ではあったが、このような作業では、設置者はシリアルポートを有する端末を用意して当該端末を加入者局装置と接続して当該加入者局装置に対して周波数の設定作業を行わなければならず、このような作業が非常に面倒であった。また、このような作業を行うためには専門的な取り扱いが必要であるため、例えば取り扱いに熟練していない加入者などが自分で加入者局装置を設置することが容易にはできないといった不具合があった。
【００１２】
本発明は、このような従来の課題を解決するためになされたもので、互いに異なる周波数を用いて無線送信を行う複数の基地局装置を設けて基地局装置と子局装置が無線通信を行う構成において、子局装置の設置時などに当該子局装置に対して無線受信に用いる周波数を設定する処理を例えば従来と比べて簡易化することができる無線通信システムを提供することを目的とする。
【００１３】
【課題を解決するための手段】
上記目的を達成するため、本発明に係る無線通信システムでは、互いに異なる周波数を用いて無線送信を行う複数の基地局装置を設け、基地局装置と子局装置とが無線通信を行う構成において、基地局装置や子局装置により次のような処理を行う。
すなわち、基地局装置では、子局装置識別情報記憶手段が当該基地局装置により収容する子局装置を識別する情報（子局装置の識別情報）を記憶し、子局装置識別情報無線送信手段が当該基地局装置に割り当てられた周波数を用いて子局装置識別情報記憶手段に記憶された識別情報を無線送信する。
一方、子局装置では、切替可能な周波数を用いて無線受信を行う無線受信手段を備え、識別情報記憶手段が当該子局装置の識別情報を記憶し、そして、無線受信周波数制御手段が無線受信に用いる周波数を切り替えて無線受信手段により無線受信を行って、識別情報記憶手段に記憶された識別情報と一致する識別情報を基地局装置から無線受信した周波数を検出し、検出した周波数を用いて基地局装置からの無線受信を行うように設定する。
【００１４】
従って、基地局装置が当該基地局装置により収容する子局装置の識別情報を無線により送信し、子局装置が当該子局装置の識別情報と一致する識別情報を基地局装置から無線により受信する周波数を検出して当該検出した周波数を用いて基地局装置からの無線受信を行うように設定することが行われるため、子局装置では当該子局装置を収容する基地局装置に割り当てられた周波数を用いて無線受信を行うように設定することができ、これにより、以降において当該基地局装置から無線送信される信号を無線受信するように設定することができる。そして、このような子局装置による自動的な無線受信周波数設定処理を当該子局装置の設置時などに実行することにより、子局装置の設置時などに当該子局装置に対して無線受信に用いる周波数を設定する処理を例えば従来と比べて簡易化することができる。
【００１５】
なお、ここでは、基地局装置による無線送信に用いる周波数と子局装置による無線受信に用いる周波数について述べているが、例えば基地局装置による無線送信と無線受信とで同一の周波数が用いられて子局装置による無線受信と無線送信とで同一の周波数が用いられるような場合には、子局装置により無線受信に用いる周波数を設定することにより、同時に当該子局装置による無線送信に用いる周波数を設定することが可能となる。
【００１６】
また、例えば基地局装置による無線送信と無線受信とで互いに対になる異なる周波数が用いられて子局装置による無線受信と無線送信とで互いに対になる異なる周波数が用いられるような場合には、子局装置により無線受信に用いる周波数を設定することにより、同時に、当該周波数に対となる周波数を当該子局装置による無線送信に用いる周波数として設定することが可能となる。
【００１７】
ここで、無線通信システムとしては、例えば無線アクセスシステムなどの種々なシステムに適用されてもよい。
また、複数の基地局装置に割り当てられる互いに異なる周波数としては、種々な周波数が用いられてもよい。
また、複数の基地局装置の数としては、種々な数が用いられてもよい。
また、複数の基地局装置は、例えばそれぞれ異なるセクタに割り当てられる。
【００１８】
また、複数の基地局装置の通信可能領域としては、例えばそれぞれの基地局装置の通信可能領域が互いに重複部分を有しない（つまり、重複しない）ような構成が用いられてもよく、或いは、例えば通信可能領域が一致する２以上の基地局装置が存在するような構成や、例えば通信可能領域の一部が重複する２以上の基地局装置が存在するような構成が用いられてもよい。なお、通信可能領域に重複部分を有する２以上の基地局装置には、例えば実用上で有効な程度で、互いに干渉の影響が無いような異なる周波数が設定される。
【００１９】
また、複数の基地局装置としては、例えば互いに別体の装置として構成されてもよく、或いは、一部又は全部の構成部分が複数の基地局装置で共用されるような構成が用いられてもよい。一例として、アンテナ以外の構成部分を複数の基地局装置で共用するような構成とすることも可能であり、他の例として、複数の周波数に対応したアンテナを用いて全ての構成部分を複数の基地局装置で共用するような構成とすることも可能である。
【００２０】
また、基地局装置としては、種々なものが用いられてもよく、例えば固定的に設定されて通常は移動されないようなものが用いられる。
また、子局装置としては、種々なものが用いられてもよく、例えば固定的に設置されて通常は移動されないようなものが用いられ、この場合、子局装置は基地局装置の通信可能領域を移動しない。
また、本発明が無線アクセスシステムに適用される場合には、子局装置としては、例えば加入者宅などに固定的に設置される加入者局装置が用いられる。
【００２１】
また、基地局装置により収容する子局装置とは、例えば当該基地局装置により無線送信（或いは、無線送信及び無線受信）を行う相手とする子局装置のことである。
また、基地局装置により収容する子局装置としては、例えば予め各基地局装置に設定されるような構成が用いられ、或いは、例えば可変に各基地局装置に設定することが可能なような構成が用いられてもよい。
また、子局装置を識別する情報（子局装置の識別情報）としては、種々な情報が用いられてもよく、例えば各子局装置毎に異なるＭＡＣアドレスなどを用いることができる。
【００２２】
また、基地局装置の子局装置識別情報無線送信手段により子局装置識別情報記憶手段に記憶された識別情報を無線送信する態様としては、種々な態様が用いられてもよく、例えば当該識別情報を単独で無線送信する態様や、或いは、当該識別情報を他の情報と共に無線送信する態様などを用いることができる。
また、基地局装置の子局装置識別情報無線送信手段により子局装置識別情報記憶手段に記憶された識別情報を無線送信するタイミングとしては、種々なタイミングが用いられてもよく、例えば定期的なタイミングが用いられてもよく、或いは、ランダムなタイミングが用いられてもよい。
【００２３】
また、子局装置の無線受信手段としては、無線受信に用いる周波数を、例えば通信相手となり得る複数の基地局装置に割り当てられた複数の周波数に切り替えることが可能なようなものが用いられる。
【００２４】
また、子局装置の無線受信周波数制御手段により識別情報記憶手段に記憶された識別情報と一致する識別情報を基地局装置から無線受信した周波数を検出することは、例えば、当該識別情報を子局装置識別情報記憶手段に記憶していて当該識別情報を無線送信した基地局装置に割り当てられた周波数を検出することに相当し、つまり、当該子局装置を収容することが設定された基地局装置による無線送信に用いられる周波数を検出することに相当する。
【００２５】
また、子局装置の識別情報記憶手段に記憶された識別情報と一致する識別情報としては、例えば当該識別情報記憶手段に記憶された識別情報と同一の識別情報を用いることができ、或いは、例えば同一の情報ではないが同一の子局装置を示す情報を一致する識別情報とみなすような構成を用いることも可能である。
【００２６】
また、子局装置の無線受信周波数制御手段により検出した周波数を用いて基地局装置からの無線受信を行うように設定することは、例えば、以降においては当該周波数を用いて無線送信を行う基地局装置から無線送信される信号を無線受信するように設定することに相当し、つまり、少なくとも無線受信についてはこのような基地局装置を無線通信の相手とすることに相当する。
【００２７】
なお、基地局装置の子局装置識別情報記憶手段や、子局装置の識別情報記憶手段としては、例えば情報を記憶するメモリなどを用いて構成することができる。また、基地局装置の子局装置識別情報無線送信手段や、子局装置の無線受信手段としては、例えばアンテナを有して無線により情報を通信する無線通信部などを用いて構成することができる。
また、子局装置の無線受信周波数制御手段としては、例えば無線受信に用いる周波数を変更や固定的に設定する無線受信周波数制御部や、当該子局装置の識別情報と一致する識別情報を無線受信したことを検出する制御部などを用いて構成することができる。
【００２８】
以下で、更に、本発明に係る無線通信システムの構成例を示す。
本発明に係る無線通信システムでは、一構成例として、子局装置は、切替可能な周波数を用いて無線送信を行う無線送信手段を備え、受信と送信とで同一の周波数を用いて無線受信と無線送信を行い、また、子局装置の無線受信周波数制御手段は、検出した周波数を用いて基地局装置からの無線受信と基地局装置への無線送信を行うように設定する。
【００２９】
従って、子局装置による無線受信と無線送信とで同一の周波数が用いられる場合に、無線受信に用いる周波数と無線送信に用いる周波数とを同時に設定することが可能であるため、例えば子局装置の設置時などに当該子局装置に対して無線受信及び無線送信に用いる周波数を設定する処理を簡易化することができる。
【００３０】
ここで、子局装置の無線送信手段としては、無線送信に用いる周波数を、例えば通信相手となり得る複数の基地局装置に割り当てられた複数の周波数に切り替えることが可能なようなものが用いられる。
また、子局装置により無線受信を行う相手となる基地局装置と当該子局装置により無線送信を行う相手となる基地局装置としては、必ずしも同一の基地局装置が用いられなくともよく、例えば異なる基地局装置が用いられてもよい。
【００３１】
また、子局装置により無線受信に用いる周波数と無線送信に用いる周波数としては、例えば無線の送受信に用いる周波数として共通な設定情報により管理されてもよく、或いは、例えば無線受信に用いる周波数と無線送信に用いる周波数とがそれぞれ異なる設定情報により管理されるような構成が用いられてもよい。
【００３２】
また、本発明に係る無線通信システムでは、一構成例として、子局装置は、切替可能な周波数を用いて無線送信を行う無線送信手段を備え、受信と送信とで対になる異なる周波数を用いて無線受信と無線送信を行い、また、子局装置の無線受信周波数制御手段は、検出した周波数と当該周波数に対となる周波数を用いて基地局装置からの無線受信と基地局装置への無線送信を行うように設定する。
【００３３】
従って、子局装置による無線受信と無線送信とで互いに異なって対となる周波数が用いられる場合に、無線受信に用いる周波数が特定されたときに当該周波数に対となる周波数を無線送信に用いる周波数として特定することにより、無線受信に用いる周波数と無線送信に用いる周波数とを同時に設定することが可能であるため、例えば子局装置の設置時などに当該子局装置に対して無線受信及び無線送信に用いる周波数を設定する処理を簡易化することができる。
【００３４】
ここで、子局装置では、例えば、無線受信に用いられ得る周波数と無線送信に用いられ得る周波数とで組となるものが互いに対応付けられて、当該対応付け（つまり、無線受信に用いられる周波数と無線送信に用いられる周波数との組）の情報がメモリなどに記憶され、そして、無線受信に用いる周波数が特定された場合に当該周波数に対応付けられた周波数が無線送信に用いる周波数として特定される。
【００３５】
また、子局装置により無線受信に用いる周波数と無線送信に用いる周波数としては、例えばこれら２つの周波数の組を表すような設定情報により管理されてもよく、或いは、例えば無線受信に用いる周波数と無線送信に用いる周波数とがそれぞれ異なる設定情報により管理されるような構成が用いられてもよい。
【００３６】
また、受信と送信とで対になる周波数としては、例えば、受信に用いられる周波数と送信に用いられる周波数とが１対１などで対応付けられているような態様が用いられる。
また、無線受信に用いる周波数や無線送信に用いる周波数としては、種々な周波数が用いられてもよい。
また、無線受信に用いる周波数と無線送信に用いる周波数との組み合わせとしては、種々な組み合わせが用いられてもよい。
【００３７】
一例として、無線アクセスシステムでは、加入者局装置から基地局装置への上りの通信と基地局装置から加入者局装置への下りの通信とで使用される周波数が異なり、無線受信に使用される周波数が決定されれば無線送信に使用される周波数も決定されるような実施の態様が検討等されている。ここで、受信に用いる周波数と送信に用いる周波数とを異ならせると、通信に使用することが可能な周波数帯域を増やすことが可能である。また、受信に用いる周波数と送信に用いる周波数とを対にすると、例えばこれら２つの周波数が全く独立であるような場合と比べて、周波数の衝突や混乱を防止することができ、装置の部品点数を低減させることが可能である。なお、受信に用いる周波数と送信に用いる周波数との対応付け（組み合わせ）としては、例えば全ての加入者局装置について共通な対応付けが用いられる。
【００３８】
また、本発明に係る無線通信システムでは、一構成例として、複数の基地局装置はそれぞれ異なるセクタに対応し、また、基地局装置では、子局装置識別情報記憶情報変更手段により子局装置識別情報記憶手段に記憶される情報を変更することが可能である。
【００３９】
従って、基地局装置では子局装置識別情報記憶手段に記憶される情報を変更することにより当該基地局装置により収容する子局装置を変更することができるため、例えばセクタの分割数などが変更されて各基地局装置により収容する加入者局装置に変更が生じたような場合においても、例えば基地局装置側の設定を変更するだけで対応することができるため便利である。
【００４０】
ここで、子局装置識別情報記憶手段に記憶される情報を変更する態様としては、種々な態様が用いられてもよく、例えば、子局装置の識別情報を新規に子局装置識別情報記憶手段に登録する（記憶させる）態様や、子局装置識別情報記憶手段に記憶されている子局装置の識別情報を修正や削除する態様などを用いることができる。
また、子局装置識別情報記憶情報変更手段による変更は、例えばユーザから受け付けられる指示に従って行われてもよく、或いは、例えば予め基地局装置に設定された規則などに従って自動的に行われてもよい。
【００４１】
また、本発明に係る無線通信システムでは、好ましい構成例として、当該無線通信システムは無線アクセスシステムであり、子局装置は固定的に設置される加入者局装置である。そして、基地局装置の子局装置識別情報無線送信手段は、加入者局装置に対する報知信号に子局装置識別情報記憶手段に記憶された識別情報を含めて無線送信する。
【００４２】
ここで、ＦＷＡシステムなどの無線アクセスシステムでは、例えばデータの通信に用いる周波数に対応した通信チャネルとは異なる周波数を用いるような制御チャネルを設けないことが一般的な仕様であるため、本発明のようにこのような制御チャネルを設けなくともよい構成を適用するのに有効である。なお、このような制御チャネルを設けない場合には、例えば通信チャネル上に報知信号を設けて、当該報知信号により基地局装置から加入者局装置に対して当該基地局装置により収容する加入者局装置の識別情報を無線送信する。
【００４３】
また、加入者局装置に対する報知信号としては、例えば、基地局装置から無線送信される信号が届く場所に存する不特定多数の加入者局装置に対して共通に知らせる（報知する）情報を含むような信号が用いられる。
また、基地局装置から加入者局装置に対して子局装置識別情報記憶手段に記憶された識別情報を無線送信する仕方としては、例えば記憶された識別情報の全てをまとめて無線送信するような仕方が用いられてもよく、或いは、記憶された識別情報を１個又は複数個ずつ無線送信するような仕方が用いられてもよい。
【００４４】
なお、子局装置の無線送信手段としては、例えばアンテナを有して無線により情報を通信する無線通信部などを用いて構成することができる。
また、基地局装置の子局装置識別情報記憶情報変更手段としては、例えばユーザにより入力される指示などに基づいて子局装置識別情報記憶手段（例えば、メモリ）に記憶された情報を書き換えなどするメモリ制御部などを用いて構成することができる。
【００４５】
【発明の実施の形態】
本発明の実施例に係る無線アクセスシステムを図面を参照して説明する。
まず、第１実施例を説明する。
本例の無線アクセスシステムの全体的な構成は例えば上記図４に示したものと同様であり、また、本例の無線アクセスシステムでは例えば上記図５に示したのと同様なセクタ構成或いは他の種々なセクタ構成により基地局装置と加入者局装置とが無線通信を行う。そして、本例の無線アクセスシステムでは、割り当てられた周波数を用いて無線通信を行う複数の基地局装置に互いに異なる周波数が割り当てられ、基地局装置と加入者局装置との間でフレームを用いて無線通信が行われる。
【００４６】
まず、本例の無線アクセスシステムに設けられる基地局装置や加入者局装置について、本例に特徴的な構成部分の例を示す。
基地局装置は、当該基地局装置により収容する加入者局装置を識別する情報を記憶するメモリ（加入者局装置識別情報記憶メモリ）と、当該基地局装置に割り当てられた周波数を用いて当該加入者局装置識別情報記憶メモリに記憶された識別情報を無線送信する機能（加入者局装置識別情報無線送信機能）を備えている。ここで、本例では、加入者局装置の識別情報として、加入者局装置のＭＡＣアドレスを用いる。
【００４７】
図１には、基地局装置に備えられる加入者局装置識別情報記憶メモリに記憶される情報の一例として、周波数Ａを用いて無線通信して通信可能領域（通信可能エリア）ａに対応した基地局装置ａの加入者局装置識別情報記憶メモリに記憶された情報の一例と、周波数Ｂを用いて無線通信して通信可能領域（通信可能エリア）ｂに対応した基地局装置ｂの加入者局装置識別情報記憶メモリに記憶された情報の一例と、周波数Ｃを用いて無線通信して通信可能領域（通信可能エリア）ｃに対応した基地局装置ｃの加入者局装置識別情報記憶メモリに記憶された情報の一例を示してある。具体的には、例えば基地局装置ａの加入者局装置識別情報記憶メモリには“１”、“２”、“３”というＭＡＣアドレスが記憶されており、これにより、当該基地局装置ａによりこれらのＭＡＣアドレスを有する加入者局装置を収容することが設定されている。また、他の基地局装置ｂ、ｃの加入者局装置識別情報記憶メモリに記憶される情報についても同様である。
【００４８】
また、本例の基地局装置は、加入者局装置識別情報記憶メモリに記憶される情報を変更する機能（加入者局装置識別情報記憶情報変更機能）を備えている。
具体的には、本例の基地局装置は、例えばシリアルポートなどを用いた保守機能により、加入者局装置のＭＡＣアドレスを、当該基地局装置により収容する加入者局装置の識別情報として前記加入者局装置識別情報記憶メモリに登録（記憶）する機能や、前記加入者局装置識別情報記憶メモリに登録された識別情報を削除などする機能を有している。
また、本例の基地局装置では、前記加入者局装置識別情報記憶メモリに登録されたＭＡＣアドレスの情報を、例えば毎フレームにおいて或いは例えば特定のフレーム毎において、特定の信号に含めて無線により送信する。
【００４９】
加入者局装置は、切替可能な周波数を用いて無線受信を行う機能（無線受信機能）と、切替可能な周波数を用いて無線送信を行う機能（無線送信機能）と、当該加入者局装置の識別情報を記憶するメモリ（識別情報記憶メモリ）と、無線受信に用いる周波数を切り替えて無線受信機能により無線受信を行って、当該識別情報記憶メモリに記憶された識別情報と一致する識別情報を基地局装置から無線受信した周波数を検出し、検出した周波数を用いて基地局装置からの無線受信を行うように設定する機能（無線受信周波数制御機能）を備えている。
【００５０】
なお、本例では、無線受信機能による無線受信に用いる周波数と無線送信機能による無線送信に用いる周波数として同一の周波数が用いられており、無線受信周波数制御機能は無線受信に設定する周波数と同一の周波数を無線送信にも設定する。
【００５１】
このように、本例の加入者局装置は、無線通信に用いる周波数チャネルをスキャンする機能を有しており、例えば基地局装置との間で行う無線通信の同期を確立する時などに、通信相手となる基地局装置の周波数を検索して設定する。
具体的には、本例の加入者局装置では、例えば、運用中に、毎フレーム或いは特定フレーム毎に基地局装置から無線送信される特定の信号の受信処理において、自局装置（つまり、当該加入者局装置）内の前記識別情報記憶メモリに記憶されたＭＡＣアドレスが当該特定信号に含まれる否かを検索し、含まれると判定した場合には当該特定信号を受信した周波数で運用を行い、一方、含まれないと判定した場合には無線受信に用いる周波数を切り替えて同様な検索処理を続行する。
【００５２】
次に、図２を参照して、本例の加入者局装置により行われる周波数検索処理の手順の一例を示す。
なお、本例では、基地局装置から毎フレームにおいて定期的に特定信号を無線により送信するとして、定期的に送信される特定信号を報知信号とし、当該報知信号中に設けられる所定の信号領域（登録済みＭＡＣアドレス報知エリア）に当該基地局装置の前記子局装置識別情報記憶メモリに記憶された識別情報（ＭＡＣアドレス）を含めて送信するとする。ここで、報知信号は、例えば、基地局装置から通信可能領域に存在する加入者局装置に対して共通な情報を報知するための信号であり、また、加入者局装置と基地局装置との間で行われる無線通信の同期を確立するために用いられる。
【００５３】
加入者局装置は、例えば電源がオンにされた後に無線通信に用いる周波数が固定的に設定されていないときには常に、基地局装置から毎フレーム毎に受信する報知信号中の登録済みＭＡＣアドレス報知エリアを監視する。具体的には、加入者局装置は、無線受信に用いる周波数を例えば予め設定された順序で切り替えて設定し（ステップＳ１）、一定の時間（報知信号待ち時間）を限度として、設定した周波数で基地局装置からの報知信号を正常に受信したか否かを判定する（ステップＳ２）。
【００５４】
この結果、加入者局装置は、基地局装置からの報知信号を正常に受信したことを判定した場合には、一定の時間（ＭＡＣアドレス監視時間）を限度として、当該基地局装置から無線受信される報知信号中の登録済みＭＡＣアドレス報知エリアに自局装置のＭＡＣアドレスと同一のＭＡＣアドレスの情報が含まれるか否かを判定する（ステップＳ３）。
【００５５】
この結果、加入者局装置は、基地局装置から無線受信した報知信号中の登録済みＭＡＣアドレス報知エリアに自局装置のＭＡＣアドレスと同一のＭＡＣアドレスの情報が含まれることを判定した場合には、当該報知信号を無線受信した周波数を、基地局装置との無線通信に用いる周波数として決定して設定する（ステップＳ４）。これにより、加入者局装置は、設定した当該周波数と同一の周波数を用いて無線通信を行う基地局装置との間で、以降の無線通信を行う。
【００５６】
なお、本例では、基地局装置から加入者局装置への無線通信と当該加入者局装置から当該基地局装置への無線通信とで同一の周波数が用いられるとし、加入者局装置は無線受信に用いる周波数を設定するときに同時に当該周波数を無線送信に用いる周波数として設定するとする。
【００５７】
また、加入者局装置は、上記した報知信号の正常受信に関する判定の結果（ステップＳ２）、基地局装置からの報知信号を正常に受信したことを判定する前に、一定の時間（報知信号待ち時間）が経過した場合には（ステップＳ５）、無線受信に用いる周波数を次の周波数へ変更して（ステップＳ６）、当該次の周波数を設定して（ステップＳ１）、再び、基地局装置からの報知信号の受信を試みるなどの処理を行う（ステップＳ２〜ステップＳ７）。
【００５８】
また、加入者局装置は、上記したＭＡＣアドレスの有無に関する判定の結果（ステップＳ３）、基地局装置からの報知信号を正常に受信するものの、受信した報知信号中の登録済みＭＡＣアドレス報知エリアに自局装置のＭＡＣアドレスと同一のＭＡＣアドレスの情報が含まれることを判定する前に、一定の時間（ＭＡＣアドレス監視時間）が経過した場合には（ステップＳ７）、無線受信に用いる周波数を次の周波数へ変更して（ステップＳ６）、当該次の周波数を設定して（ステップＳ１）、再び、基地局装置からの報知信号の受信を試みるなどの処理を行う（ステップＳ２〜ステップＳ７）。
【００５９】
加入者局装置により行われる上記のような周波数検索処理では、無線受信に用いるために設定する周波数を変更していって、当該変更の結果、当該変更した周波数において受信した報知信号中の登録済みＭＡＣアドレス報知エリアに自局装置のＭＡＣアドレスと同一のＭＡＣアドレスの情報がある場合には、当該変更している周波数を用いる基地局装置に自局装置のＭＡＣアドレスと同一のＭＡＣアドレスが登録してあることを把握することができる。
【００６０】
以上のように、本例の無線アクセスシステムでは、基地局装置と加入者局装置との間で例えば連続的或いは間欠的な無線フレーム構成に同期して信号の送受信を行って無線通信を行うような構成において、例えば加入者局装置を増設する場合などに加入者局装置を設置する際や、或いは無線アクセスシステムを構築する際や、或いは基地局装置における加入者局装置の登録を削除することなどを契機として、連続的或いは間欠的に受信を行う機能を有した加入者局装置が、自局装置自身で、使用可能な周波数を順に切り替えながら、受信した無線フレームの解析を行って、自局装置を登録した基地局装置により用いられる周波数を探すことにより、基地局装置との無線通信に用いる周波数（すなわち、通信相手とする基地局装置）を検出して設定する。
【００６１】
従って、本例の無線アクセスシステムでは、加入者局装置を設置する時などにおいて、当該加入者局装置に対して作業者により無線通信に用いる周波数を設定するような作業項目をなくすことができ、これにより、例えば従来と比べて、加入者局装置を設置する時などにおける加入者局装置の調整などの作業を容易化することができる。このため、例えば加入者局装置などの取り扱いに熟練していない一般のユーザにより加入者局装置を設置することが容易に可能となり、加入者局装置の設置や調整作業などに要する作業負荷や人件費などを軽減することができる。
【００６２】
このように、本例の無線アクセスシステムでは、例えば取り扱いに熟練していない者によっても加入者局装置を容易に設置などすることができるように、加入者局装置の設置などの方法を簡略化して、設置時などにおける設定項目が無い又は少なくなるようにした。例えば、本例の無線アクセスシステムでは、ユーザによる加入者局装置の設置作業の負担を最低限とすることができ、一例として、加入者局装置のアンテナ方位をあらかじめ基地局装置に合わせて当該加入者局装置を設置するだけで当該加入者局装置により基地局装置と無線によりデータ通信することができるような設置作業とすることができる。
【００６３】
また、本例の無線アクセスシステムでは、例えば、設置される加入者局装置の数が増加してこれに対応してセクタを増設するような際においても、ネットワーク側（基地局装置側）の設定を変更するだけで、複数の加入者局装置による無線通信で用いられるトラフィックを適切に分配することができる。ここで、ネットワーク側（基地局装置側）の設定変更としては、例えば、各基地局装置により収容する加入者局装置の割り当ての変更などが行われ、各基地局装置には割り当てられた加入者局装置のＭＡＣアドレスが登録される。
【００６４】
一例として、加入者局装置が設置された後に、セクタ（例えば基地局装置に割り当てられる通信可能領域）が細分化されて、例えば当該細分化前では或る領域が４分割されていたが当該細分化により８分割にされたような場合には、当該設置されている加入者局装置による無線通信に使用する周波数が変更されることが発生し得る。このように既に設置されている加入者局装置による使用周波数が変更される場合に、例えば従来では当該加入者局装置に対して作業者により使用周波数を設定し直す作業を行う必要があったが、本例の無線アクセスシステムでは、このような必要はなく、当該加入者局装置が自動的に使用周波数の設定を行うことができるため便利である。
【００６５】
また、例えば上記図５に示した周波数Ａに対応した基地局装置ａの通信可能領域（通信可能エリア）と周波数Ｂに対応した基地局装置ｂの通信可能領域（通信可能エリア）との境界付近に加入者局装置を設置する場合のように、異なる周波数に対応した２以上の基地局装置との間で無線通信が可能なような場所に加入者局装置が設置される場合には、例えば従来ではいずれの周波数を使用周波数として当該加入者局装置に設定すればよいかが不明である恐れがあったが、本例の無線アクセスシステムでは、設置される加入者局装置により自動的に適切な使用周波数を設定することができるため便利である。
【００６６】
また、例えば携帯電話やＰＨＳ（Ｐｅｒｓｏｎａｌ　Ｈａｎｄｙ　ｐｈｏｎｅ　Ｓｙｓｔｅｍ）のシステムには一般に制御チャネルが設けられるが、ＦＷＡシステムなどの無線アクセスシステムでは制御チャネルを設けないことが一般的な仕様である。このため、本発明のように制御チャネルを用いずに加入者局装置による無線通信に用いる周波数を設定することが可能な構成は、特に、制御チャネルが設けられない無線アクセスシステムに適用するのに非常に有効である。なお、本発明において、例えば制御チャネルを用いる構成が実施されても構わない。
【００６７】
次に、第２実施例を説明する。
なお、本例では、上記第１実施例に示した無線アクセスシステムとは異なる構成部分について、詳しく説明する。
本例の無線アクセスシステムに備えられた加入者局装置では、無線受信機能による無線受信に用いる周波数と無線送信機能による無線送信に用いる周波数として互いに異なって対となる周波数が用いられており、無線受信周波数制御機能は無線受信に設定する周波数に対となる周波数を無線送信に設定する。
【００６８】
図３には、加入者局装置により受信に用いられる周波数（受信周波数）と送信に用いられる周波数（送信周波数）との対応付け（組み合わせ）の一例を示してある。
同図の例では、それぞれの領域（エリア）ａ、ｂ、ｃ、ｄ毎に３つのセクタ１、２、３が設けられており、それぞれのセクタ毎に受信周波数と送信周波数とが対として設定されている。具体的には、例えば、領域ａのセクタ２では受信周波数として周波数“Ｂ”が設定されているとともに送信周波数として周波数“Ｂ’”が設定されており、同様に、例えば、領域ｃのセクタ３では受信周波数として周波数“Ｉ”が設定されているとともに送信周波数として周波数“Ｉ’”が設定されている。
【００６９】
本例では、加入者局装置において、例えば受信周波数が“Ａ”に決まれば送信周波数が“Ａ’”に決まるなどのように、受信周波数に基づいて送信周波数を設定することが可能である。
以上のように、本例のような無線アクセスシステムにおいても、例えば上記第１実施例で示した無線アクセスシステムについて述べたのと同様な効果を得ることができる。
【００７０】
なお、以上の実施例では、加入者局装置により受信に用いられる周波数（受信周波数）と送信に用いられる周波数（送信周波数）とが同一である場合や、或いは、当該受信周波数と当該送信周波数とが互いに対となって異なる場合を示したが、他の態様として、例えば、複数の対となる受信周波数と送信周波数との組み合わせの中で一部の組み合わせでは受信周波数と送信周波数とが同一であり他の組み合わせでは受信周波数と送信周波数とが異なっているような態様を用いることも可能である。
【００７１】
ここで、本発明に係る無線通信システムや基地局装置や子局装置の構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【００７２】
また、本発明に係る無線通信システムや基地局装置や子局装置において行われる各種の処理としては、例えばプロセッサやメモリ等を備えたハードウエア資源においてプロセッサがＲＯＭ（Ｒｅａｄ　Ｏｎｌｙ　Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ　Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００７３】
【発明の効果】
以上説明したように、本発明に係る無線通信システムによると、互いに異なる周波数を用いて無線送信を行う複数の基地局装置と例えば固定的に設置される子局装置を設け、基地局装置と子局装置とが無線通信を行う構成において、基地局装置が当該基地局装置により収容する子局装置を識別する情報を記憶し、当該基地局装置に割り当てられた周波数を用いて当該記憶された識別情報を無線送信する一方、子局装置が当該子局装置の識別情報を記憶し、無線受信に用いる周波数を切り替えて無線受信を行って、当該記憶された識別情報と一致する識別情報を基地局装置から無線受信した周波数を検出し、検出した周波数を用いて基地局装置からの無線受信を行うように設定するようにしたため、例えば子局装置の設置時などに当該子局装置に対して無線受信に用いる周波数を設定する処理を簡易化することができ、例えば無線アクセスシステムの加入者局装置などの子局装置を設置などする時の作業負担を軽減することができる。
【図面の簡単な説明】
【図１】本発明の一実施例に係る加入者局装置識別情報記憶メモリに記憶される情報の一例を示す図である。
【図２】本発明の一実施例に係る加入者局装置により行われる周波数検索処理の手順の一例を示す図である。
【図３】本発明の一実施例に係る受信周波数と送信周波数との対応付けの一例を示す図である。
【図４】無線アクセスシステムの一例を示す図である。
【図５】無線アクセスシステムのセクタ構成の一例を示す図である。
【符号の説明】
１ａ、１ｂ・・基地局装置、　２ａ〜２ｃ・・加入者局装置、
１１・・集合住宅、　１２・・一般家庭、　１３・・一般企業、
１４・・ネットワーク、
【図１】
2004096336.tif 000003
【図２】
2004096336.tif 000004
【図３】
2004096336.tif 000005
【図４】
2004096336.tif 000006
【図５】
2004096336.tif 000007